(57)【要約】【課題】信号歪みによる画質の低下を最小化し得る液晶表示装置およびその駆動方法を提供する。【解決手段】本発明による液晶表示装置は、液晶パネルを駆動するための少なくとも二つの集積回路と、該集積回路に駆動信号を供給する第１信号ラインと、該第１信号ラインを通じて前記集積回路それぞれに入力される駆動信号を検出する第２信号ラインと、該第２信号ラインから検出された駆動信号に対応する補償信号を前記第１信号ラインに供給する信号生成部を含む。【選択図】図３
2006018278.tif 000002
【特許請求の範囲】
【請求項１】
液晶パネルを駆動させるための集積回路と、該集積回路に駆動信号を供給する第１信号ラインと、前記集積回路に供給された前記駆動信号の値を検出する第２信号ラインと、該第２信号ラインからの前記駆動信号の検出された値を基づいて補償信号を生成する信号生成部を含むことを特徴とする液晶表示装置。
【請求項２】
前記信号生成部は前記駆動信号の平均値を得ることを特徴とする請求項１記載の液晶表示装置。
【請求項３】
前記信号生成部は前記駆動信号の大きさおよび形状についての平均値を計算することを特徴とする請求項２記載の液晶表示装置。
【請求項４】
前記信号生成部は前記平均値に対応する補償信号を生成することを特徴とする請求項２記載の液晶表示装置。
【請求項５】
ゲートラインとデータラインを含む液晶パネルをさらに含み、前記集積回路は前記ゲートラインを駆動させるゲート集積回路、および前記データラインを駆動させるデータ集積回路を含むことを特徴とする請求項１記載の液晶表示装置。
【請求項６】
前記ゲート集積回路は前記第１信号ラインを通じてゲート電源信号およびゲート制御信号が供給されることを特徴とする請求項５記載の液晶表示装置。
【請求項７】
前記ゲート制御信号はゲートスタートパルスＧＳＰと、ゲートシフトクロック信号ＧＳＣ、およびゲート出力イネーブル信号ＧＯＥを含むことを特徴とする請求項６記載の液晶表示装置。
【請求項８】
前記ゲート電源信号は共通電圧を含むことを特徴とする請求項６記載の液晶表示装置。
【請求項９】
画像をディスプレイする液晶パネルをさらに含み、前記集積回路は複数の駆動回路を含み第２信号ラインが前記液晶パネルと前記複数の駆動回路との間に配置されることを特徴とする請求項１記載の液晶表示装置。
【請求項１０】
前記第１信号ラインと第２信号ラインが互いに並列に伸長され、前記信号ラインが前記駆動信号の値を検出する伸長部を有する第１信号ラインに結合されることを特徴とする請求項１記載の液晶表示装置。
【請求項１１】
液晶パネルをさらに含み、前記補償信号は単一値を有する共通電圧を生成するように動作し、前記共通電圧が液晶に供給されることを特徴とする請求項１記載の液晶表示装置。
【請求項１２】
前記信号生成部が複数の共通電圧を含み、前記複数の共通電圧の差を決定することを特徴とする請求項１記載の液晶表示装置。
【請求項１３】
前記差の検出により前記信号生成部が前記複数の共通電圧を調整して同一電圧を有するようにすることを特徴とする請求項１２記載の液晶表示装置。
【請求項１４】
信号ラインを通じて駆動信号を集積回路に供給する段階と、検査ラインで前記駆動信号の値を検出する段階と、制御器で前記駆動信号の検出された値を基づいて補償信号を生成する段階、および信号ラインを通じて前記補償信号を液晶パネルに供給する段階を含むことを特徴とする液晶表示装置の駆動方法。
【請求項１５】
前記駆動信号の検出された値の平均値を得る段階をさらに含むことを特徴とする請求項１４記載の液晶表示装置の駆動方法。
【請求項１６】
前記駆動信号の値を検出する段階が電源装置からの電圧信号の平均値を測定する段階を含むことを特徴とする請求項１５記載の液晶表示装置の駆動方法。
【請求項１７】
前記駆動信号を供給する段階が前記液晶パネルのゲートラインにゲート電源信号およびゲート制御信号のうち少なくともいずれ一つの信号を供給する段階を含むことを特徴とする請求項１４記載の液晶表示装置の駆動方法。
【請求項１８】
前記ゲート電源信号を供給する段階が前記液晶パネルのゲートラインに共通電圧を供給する段階を含むことを特徴とする請求項１７記載の液晶表示装置の駆動方法。
【請求項１９】
前記補償信号を供給する段階が前記補償信号を基づいて単一の共通電圧を生成する段階と、前記単一の共通電圧を前記液晶パネルに供給する段階を含むことを特徴とする請求項１４記載の液晶表示装置の駆動方法。
【請求項２０】
前記単一の共通電圧を生成する段階は、ライン抵抗が前記信号ラインに従って増加するときに発生する電圧差を補償する段階を含むことを特徴とする請求項１９記載の液晶表示装置の駆動方法。
【請求項２１】
前記液晶パネルに供給される前記駆動信号の値を調整する段階をさらに含むことを特徴とする請求項１４記載の液晶表示装置の駆動方法。
【発明の詳細な説明】
【技術分野】
【０００１】
本発明は液晶表示装置に関し、特に信号歪みによる画質の低下を最小化し得る液晶表示装置およびその駆動方法に関する。
【背景技術】
【０００２】
通常の液晶表示装置は電界を利用して液晶の光透過率を調節することにより画像を表示するようになる。そのため、液晶表示装置は液晶セルがマトリックス状に配列された液晶パネルとこの液晶パネルを駆動するための駆動回路を備えている。
【０００３】
液晶パネルにはゲートラインとデータラインが交差するように配列され、そのゲートラインとデータラインの交差部に設けられる領域に液晶セルが位置するようになる。この液晶パネルには液晶セルそれぞれに電界を印加するための画素電極と共通電極が設けられる。
【０００４】
画素電極それぞれはスイッチング素子である薄膜トランジスター(Thin Film Transistor)のソースおよびドレーン端子を経由してデータラインに接続される。薄膜トランジスターのゲート端子は画素電圧信号が１ライン分ずつの画素電極に印加されるようにするゲートラインに接続される。
【０００５】
駆動回路は、ゲートラインを駆動するためのゲートドライバーと、データラインを駆動するためのデータドライバーと、ゲートドライバーとデータドライバーを制御するためのタイミング制御部と、液晶表示装置で用いられる種々の駆動電圧を供給する電源供給部を備えている。
【０００６】
タイミング制御部は、ゲートドライバーおよびデータドライバーの駆動タイミングを制御すると共にデータドライバーに画素データ信号を供給する。電源供給部は、入力電源を利用して液晶表示装置で必要とする共通電圧ＶＣＯＭ、ゲートハイ電圧ＶＧＨ、ゲートロー電圧ＶＧＬなどのような駆動電圧を生成する。
【０００７】
ゲートドライバーは、スキャニング信号をゲートラインに順次供給して液晶パネル上の液晶セルを１ライン分ずつ順次駆動する。データドライバーは、ゲートラインのうちいずれ一つにスキャニング信号が供給される毎にデータラインそれぞれに画素電圧信号を供給する。
【０００８】
これによって、液晶表示装置は、液晶セル別に画素電圧信号により画素電極と共通電極との間に印加される電界によって光透過率を調節することにより画像を表示する。
【０００９】
これらのうち、液晶パネルと直接接続されるデータドライバーとゲートドライバーは、複数のＩＣ(Integrated Circuit)で集積化される。集積化されたデータドライブＩＣとゲートドライブＩＣそれぞれはＴＣＰ(Tape Carrier Package)上に実装されてＴＡＢ(Tape Automated Bonding)方式で液晶パネルに接続されるかＣＯＧ(Chip On Glass)方式で液晶パネル上に実装される。
【００１０】
ここで、ＴＣＰを通じてＴＡＢ方式で液晶パネルに接続されるドライブＩＣは、ＴＣＰに接続されたＰＣＢ(Printed Circuit Board)に実装された信号ラインを通じて外部から入力される制御信号および直流電圧の供給を受けると共に相互接続される。
【００１１】
詳細には、データドライブＩＣは、データＰＣＢに実装された信号ラインを通じて直列に接続されると共にタイミング制御部からの制御信号および画素データ信号と電源供給部からの駆動電圧の供給を共通して受けるようになる。ゲートドライブＩＣは、ゲートＰＣＢに実装された信号ラインを通じて直列に接続されると共にタイミング制御部からの制御信号と電源供給部からの駆動電圧の供給を共通して受けるようになる。
【００１２】
ＣＯＧ方式で液晶パネルに実装されるドライブＩＣは、信号ラインが液晶パネル、即ち、下部グラス上に実装されるラインオングラス(Line On Glass：以下“ＬＯＧ”という)方式で相互接続されると共にタイミング制御部および電源供給部からの制御信号および駆動電圧の供給を受けるようになる。
【００１３】
最近は、ドライブＩＣがＴＡＢ方式で液晶パネルに接続される場合にもＬＯＧ方式を採用してＰＣＢを除去することにより液晶表示装置を一層薄形化し得るようになっている。特に、相対的に小さい信号ラインを必要とするゲートドライブＩＣに接続される信号ラインをＬＯＧ方式で液晶パネル上に形成することによりゲートＰＣＢを除去している。さらに言及すると、ＴＡＢ方式のゲートドライブＩＣは、液晶パネルの下部グラス上に実装される信号ラインを通じて直列に接続されると共に制御信号および駆動電圧信号(以下、“ゲート駆動信号”という)の供給を共通して受けるようになる。
【００１４】
実際に、ＬＯＧ型信号ラインを利用してゲートＰＣＢを除去した液晶表示装置は、図１Ａおよび図１Ｂに図示されたように、液晶パネル１と、該液晶パネル１とデータＰＣＢ１２との間に接続された複数のデータＴＣＰ８と、液晶パネル１の他側に接続された複数のゲートＴＣＰ１４と、データＴＣＰ８それぞれに実装されたデータドライブＩＣ１０と、ゲートＴＣＰ１４それぞれに実装されたゲートドライブＩＣ１６を備えている。
【００１５】
液晶パネル１は、各種の信号ラインと共に薄膜トランジスターアレーが形成された下部基板２と、カラーフィルターアレーが形成された上部基板４と、下部基板２と上部基板４との間に注入された液晶とで構成される。このような液晶パネル１には、ゲートライン２０とデータライン１８の交差領域毎に設けられる液晶セルで構成されて画像を表示する画像表示領域２１が設けられる。画像表示領域２１の外郭部に位置する下部基板２の外郭領域にはデータライン１８から伸長されたデータパッドと、ゲートライン２０から伸長されたゲートパッドが位置するようになる。また、下部基板２の外郭領域にはゲートドライブＩＣ１６に供給されるゲート駆動信号を伝送するためのＬＯＧ型信号ライン群２６が位置するようになる。
【００１６】
データＴＣＰ８には、データドライブＩＣ１０が実装され、そのデータドライブＩＣ１０と電気的に接続された入力パッド２４および出力パッド２５が形成される。データＴＣＰ８の入力パッド２４は異方性導電フイルム(Anisotropic Conductive Film：以下“ＡＣＦ”という)を経由してデータＰＣＢ１２の出力パッド２５と電気的に接続され、出力パッド２５はＡＣＦを経由して下部基板２上のデータパッドと電気的に接続される。特に、１番目データＴＣＰ８は、下部基板２上のＬＯＧ型信号ライン群２６に電気的に接続されるゲート駆動信号伝送群２２が追加して形成される。このゲート駆動信号伝送群２２はデータＰＣＢ１２を経由してタイミング制御部および電源供給部から供給されるゲート駆動信号をＬＯＧ型信号ライン群２６に供給するようになる。
【００１７】
データドライブＩＣ１０は、デジタル信号である画素データ信号をアナログ信号である画素電圧信号に切り換えて液晶パネル上のデータライン１８に供給する。
【００１８】
ゲートＴＣＰ１４にはゲートドライブＩＣ１６が実装され、そのゲートドライブＩＣ１６と電気的に接続されたゲート駆動信号伝送ライン群２８および出力パッド３０が形成される。ゲート駆動信号伝送ライン群２８は、ＡＣＦを経由して下部基板２上のＬＯＧ型信号ライン群２６と電気的に接続され、出力パッド３０は、ＡＣＦを経由して下部基板２上のゲートパッドと電気的に接続される。
【００１９】
ゲートドライブＩＣ１６は、入力制御信号に応答してスキャニング信号、即ち、ゲートハイ電圧信号ＶＧＨをゲートライン２０に順次供給する。また、ゲートドライブＩＣ１６は、ゲートハイ電圧信号ＶＧＨが供給される期間を除いた残りの期間にはゲートロー電圧信号ＶＧＬをゲートラインに供給する。
【００２０】
ＬＯＧ型信号ライン群２６は、ゲートハイ電圧信号ＶＧＨ、ゲートロー電圧信号ＶＧＬ、共通電圧信号ＶＣＯＭ、グラウンド電圧信号ＧＮＤ、電源電圧信号ＶＣＣのように電源供給部から供給される直流電圧信号とゲートスタートパルスＧＳＰ、ゲートシフトクロック信号ＧＳＣ、ゲート出力イネーブル信号ＧＯＥのようにタイミング制御部から供給されるゲート制御信号それぞれを供給する信号ラインで構成される。
【００２１】
従来の液晶表示装置のＬＯＧ型信号ライン群２６は、画像表示部２１の外郭領域に位置するパッド部と共に非常に限定された狭い空間で微細パターンに並んで形成される。そして、ＬＯＧ型信号ライン群２６は、ゲートライン２０と同一にゲート金属層で構成される。ゲート金属には、ＡｌＮｄなどのように比較的に大きい比抵抗値(０．０４６)を有する金属が利用される。
【００２２】
このように、ＬＯＧ型信号ライン群２６が制限された領域内で微細パターンに形成されると共に比較的に大きい比抵抗値を有するゲート金属で構成されることにより既存のゲートＰＣＢに銅箔で形成された信号ラインと対比して相対的に高いライン抵抗成分Ｘを含むようになる。また、下部基板２上のＬＯＧ型信号ライン群２６とゲート駆動信号伝送ライン群２８を連結するためのＡＣＦ(図示せず)は所定の接続抵抗成分Ｙを含むようになる。それのみならず、ゲートＴＣＰ１４またはＣＯＦ(chip on film)上に形成されるゲート駆動信号伝送ライン群２８は、所定のライン抵抗成分Ｚを含むようになる。このような抵抗成分は互いに隣接したＩＣ間のＸ＋２Ｙ＋２Ｚ程の差異が生じる。
【００２３】
また、この抵抗成分は、ラインの長さに比例することによりデータＰＣＢ１２から遠くなるほど抵抗値が増加してＬＯＧ型信号ライン群２６を通じて供給される信号が減衰されるようになる。特に、ゲート駆動信号の基準になる共通電圧ＶＣＯＭ信号は、このような抵抗値により歪み歪むことによって画像表示部２１に表示される画像の品質が低下するようになる。
【００２４】
これを詳細に説明すると、ＬＯＧ型信号ライン群２６は、図２に図示されたように、第１データＴＣＰ８と第１乃至第４ゲートＴＣＰ１４Ａ〜１４Ｄ間それぞれに接続される第１乃至第４ＬＯＧ型信号ラインＬＯＧ１〜ＬＯＧ４で構成される。第１乃至第４ＬＯＧ型信号ラインＬＯＧ１〜ＬＯＧ４は、そのラインの長さに比例するライン抵抗値ａ、ｂ、ｃ、ｄを有し、第１乃至第４ゲートＴＣＰ１４Ａ〜１４Ｄを経由して直列に連結される。
【００２５】
このような第１乃至第４ＬＯＧ型信号ラインＬＯＧ１〜ＬＯＧ４のライン抵抗値ａ、ｂ、ｃ、ｄによりゲートドライブＩＣ１６Ａ〜１６Ｄ毎に供給される共通電圧ＶＣＯＭ１が異なるようになる。
【００２６】
具体的に、第１ゲートＴＣＰ１４Ａに実装されたゲートドライブＩＣ１６Ａには第１ＬＯＧ信号ラインＬＯＧ１の第１ライン値ａに比例して電圧降下された第１共通電圧ＶＣＯＭ１が供給される。第１共通電圧ＶＣＯＭ１は、第１ゲートドライブＩＣ１６Ａを通じて第１水平ラインブロックＡのゲートラインに供給される。
【００２７】
第２ゲートＴＣＰ１４Ｂに実装されたゲートドライブＩＣ１６Ｂには、直列接続された第１ＬＯＧ信号ラインＬＯＧ１および第２ＬＯＧ信号ラインＬＯＧ２の第２ライン抵抗値ａ＋ｂに比例して電圧降下された第２共通電圧ＶＣＯＭ２が供給される。第２共通電圧ＶＣＯＭ２は、第２ゲートドライブＩＣ１６Ｂを通じて第２水平ラインブロックＢのゲートラインに供給される。
【００２８】
第3ゲートＴＣＰ１４Ｃに実装されたゲートドライブＩＣ１６Ｃには、直列接続された第１ＬＯＧ信号ライン乃至第３ＬＯＧ信号ラインＬＯＧ１〜ＬＯＧ３の第３ライン抵抗値ａ＋ｂ＋ｃに比例して電圧降下された第３共通電圧ＶＣＯＭ３が供給される。第３共通電圧ＶＣＯＭ３は、第３ゲートドライブＩＣ１６Ｃを通じて第３水平ラインブロックＣのゲートラインに供給される。
【００２９】
第４ゲートＴＣＰ１４Ｄに実装されたゲートドライブＩＣ１６Ｄには、直列接続された第１ＬＯＧ信号ライン乃至第４ＬＯＧ信号ラインＬＯＧ１〜ＬＯＧ４の第４ライン抵抗値ａ＋ｂ＋ｃ＋ｄに比例して電圧降下された第４共通電圧ＶＣＯＭ４が供給される。第４共通電圧ＶＣＯＭ４は、第４ゲートドライブＩＣ１６Ｄを通じて第４水平ラインブロックＤのゲートラインに供給される。
【００３０】
このように、ゲートドライブＩＣ１６Ａ〜１６Ｄ別にゲートラインに供給する共通電圧ＶＣＯＭ１〜ＶＣＯＭ４間には差異が生じる。即ち、第１ゲートドライブＩＣ１６Ａから第４ゲートドライブＩＣ１６Ｄの方へ進行する程ＬＯＧ型信号ラインＬＯＧ１〜ＬＯＧ４のライン抵抗値ａ，ｂ，ｃ，ｄが加算されることにより水平ラインブロックＡ〜Ｄに供給される第１乃至第４共通電圧ＶＣＯＭ１〜ＶＣＯＭ４は、ＶＣＯＭ１＞ＶＣＯＭ２＞ＶＣＯＭ３＞ＶＣＯＭ４のような関係を有するようになる。これによって、互いに異なるゲートドライブＩＣ１６Ａ〜１６Ｄに接続される水平ラインブロックＡ〜Ｄ間に輝度差が生じるようになる。この水平ラインブロックＡ〜Ｄの輝度差は、横線３２現象で現れるようになり画面が分割されて見えるようにすることにより画質の低下のみならずライン間の抵抗によるクロストーク現象を招来する。
【発明の開示】
【発明が解決しようとする課題】
【００３１】
従って、本発明の目的は、信号歪みによる画質の低下を最小化し得る液晶表示装置およびその駆動方法を提供することにある。
【課題を解決するための手段】
【００３２】
本発明による液晶表示装置は、液晶パネルを駆動するための集積回路と、該集積回路に駆動信号を供給する第１信号ラインと、前記集積回路に供給された前記駆動信号の値を検出する第２信号ラインと、該第２信号ラインから検出された前記駆動信号の値を基づいて補償信号を生成する信号生成部を含む。
【００３３】
また、本発明による液晶表示装置の駆動方法は、信号ラインを通じて駆動信号を集積回路に供給する段階と、検査ラインで前記駆動信号の値を検出する段階と、制御器で前記駆動信号の検出された値を基づいて補償信号を生成する段階、および信号ラインを通じて前記補償信号を液晶パネルに供給する段階を含む。
【発明の効果】
【００３４】
本発明による液晶表示装置は、ドライブＩＣを同一の共通電圧で制御するようにすることにより停止画像のみならず画像の変化が多い動画像でも実時間でそれぞれの画像に対応して新たな共通電圧を生成することができる。これによって、各画像に対応した共通電圧を利用することにより動画像で生じる輝度不均一とグリニッシュ現象およびライン抵抗により生じるクロストーク現象を除去し得るようになる。
【発明を実施するための最良の形態】
【００３５】
以下、本発明の望ましい実施の形態を図３と図４を参照して詳細に説明する。
図３は、本発明の実施の形態によるＬＯＧ型液晶表示装置の構成を概略的に図示した図面である。
【００３６】
図３に図示された液晶表示装置は、液晶パネル５１と、該液晶パネル５１とデータＰＣＢとの間に接続された複数のデータＴＣＰ５８と、液晶パネル５１の他の側に接続された複数のゲートＴＣＰ６４Ａ〜６４Ｄと、データＴＣＰ５８それぞれに実装されたデータドライブＩＣ６０と、ゲートＴＣＰ６４Ａ〜６４Ｄそれぞれに実装されたゲートドライブＩＣ６６Ａ〜６６Ｄと、タイミング制御部９０からの信号をゲートドライブＩＣ６６Ａ〜６６Ｄに供給するＬＯＧ型信号ライン群７６と、ＬＯＧ型信号ライン群７６を通じて供給される電圧値をスキャンする検査ライン９９を備えている。
【００３７】
液晶パネル５１は、図４に図示されたように、各種の信号ラインと共に薄膜トランジスター５３アレーが形成された下部基板５２と、カラーフィルターアレーが形成された上部基板５４と、下部基板５２と上部基板５４との間に注入された液晶を含む。このような液晶パネル５１は、ゲートライン７０とデータライン６８との交差領域毎に形成された液晶セルにより画像表示領域７１に画像を表示する。画像表示領域７１の外郭部に位置する下部基板５２外郭領域にはデータライン６８から伸長されたデータパッドと、ゲートライン７０から伸長されたゲートパッドが位置するようになる。また、下部基板５２の外郭領域にはゲートドライブＩＣ６６Ａ〜６６Ｄに供給されるゲート駆動信号を伝送するためのＬＯＧ型信号ライン群７６の電圧を検査するための検査ライン９９が位置するようになる。
【００３８】
データＴＣＰ５８には、データドライブＩＣ６０が実装され、そのデータＴＣＰ５８は、データドライブＩＣ６０と接続される入出力パッドを通じてデータＰＣＢ６２の出力パッド７４および下部基板５２のデータパッドと接続される。特に、１番目データＴＣＰ５８は、下部基板５２上のＬＯＧ型信号ライン群７６に接続されるゲート駆動信号伝送ライン群７２をさらに備えている。このゲート駆動信号伝送ライン群７２は、データＰＣＢ６２を経由してタイミング制御部９０から供給されるゲート駆動信号をＬＯＧ型信号ライン群７６に供給するようになる。
【００３９】
データドライブＩＣ６０は、デジタル信号である画素データ信号をアナログ信号である画素電圧信号に切り換えて液晶パネル５１上のデータライン６８に供給する。
【００４０】
ゲートＴＣＰ６４Ａ〜６４Ｄには、ゲートドライブＩＣ６６Ａ〜６６Ｄが実装され、そのゲートＴＣＰ６４Ａ〜６４Ｄは、ゲートドライブＩＣ６６Ａ〜６６Ｄと接続される出力パッドを通じて下部基板５２のゲートパッドと接続される。また、ゲートＴＣＰ６４Ａ〜６４Ｄは、下部基板５２のＬＯＧ型信号ライン群７６とゲートドライブＩＣ６６Ａ〜６６Ｄとの間に接続されるゲート駆動信号伝送ライン群７８をさらに備える。
【００４１】
ゲートドライブＩＣ６６Ａ〜６６Ｄは、入力制御信号に応答してスキャニング信号、即ち、ゲートハイ電圧信号ＶＧＨをゲートラインに順次供給する。また、ゲートドライブＩＣ６６Ａ〜６６Ｄは、ゲートハイ電圧信号ＶＧＨが供給される期間を除いた残りの期間にはゲートロー電圧信号ＶＧＬをゲートライン７０に供給する。
【００４２】
ＬＯＧ型信号ライン群７６は、ゲートハイ電圧信号ＶＧＨ、ゲートロー電圧信号ＶＧＬ、共通電圧信号ＶＣＯＭ、グラウンド電圧信号ＧＮＤ、電源電圧信号ＶＣＣのような電源供給部から供給される直流電圧信号とゲートスタートパルスＧＳＰ、ゲートシフトクロック信号ＧＳＣ、ゲート出力イネーブル信号ＧＯＥのようにタイミング制御部９０から供給されるゲート制御信号それぞれを供給する信号ラインで構成される。
【００４３】
このようなＬＯＧ型信号ライン群７６は、ゲートライン７０と同一にゲート金属で形成される。ＬＯＧ型信号ライン群７６は、所定のライン抵抗成分Ｘを含むようになる。また、下部基板５２上の信号ラインと入出力パッドを連結するためのＡＣＦ(図示せず)は、所定の接続抵抗成分Ｙを含むようになる。それのみならず、ＴＣＰまたはＣＯＦ上に形成されるラインは、所定のライン抵抗成分Ｚを含むようになる。この抵抗成分は、ラインの長さに比例することによりデータＰＣＢ６２から遠くなる程抵抗値が増加して共通電圧ＶＣＯＭが減少するようになる。
【００４４】
検査ライン９９は、ＬＯＧ型信号ライン群７６を通じて供給される信号、即ち、ゲートハイ電圧信号ＶＧＨ、ゲートロー電圧信号ＶＧＬ、共通電圧ＶＣＯＭ、グラウンド電圧信号ＧＮＤ、電源電圧信号ＶＣＣのような電源供給部から供給される直流電圧信号と、ゲートスタートパルスＧＳＰ、ゲートシフトクロック信号ＧＳＣ、ゲート出力イネーブル信号ＧＯＥのようにタイミング制御部９０から供給されるゲート制御信号の電圧値を測定することができる。
【００４５】
本発明によるＬＯＧ型液晶表示装置の駆動方法について共通電圧ＶＣＯＭを例に挙げて詳細に説明する。
共通電圧ＶＣＯＭを供給するＬＯＧ型信号ライン群７６は、第１データＴＣＰ５８と第１乃至第４ゲートＴＣＰ６４Ａ〜６４Ｄ間それぞれに接続される第１乃至第４ＬＯＧ型信号ライン群７６で構成される。ＬＯＧ型信号ライン群７６は、そのラインの長さに比例する抵抗値ａ，ｂ，ｃ，ｄを有し、第１乃至第４ゲートＴＣＰ６４Ａ〜６４Ｄを経由して直列に連結される。このようなＬＯＧ型信号ライン７６の抵抗値ａ，ｂ，ｃ，ｄによりゲートドライブＩＣ６６Ａ〜６６Ｄ毎に供給される共通電圧ＶＣＯＭが異なるのを防止するために、各ゲートドライブＩＣ６６Ａ〜６６Ｄに接続されたＬＯＧ型信号ライン群７６の電圧値を検査する検査ライン９９を設置する。
【００４６】
具体的に、第１ゲートＴＣＰ６４Ａに実装された第１ゲートドライブＩＣ６６Ａの第１ＬＯＧ信号ライン乃至第４ＬＯＧ信号ラインＬＯＧ１〜ＬＯＧ４は検査ライン９９に連結されている。このような検査ライン９９は、それぞれの第１ＬＯＧ信号ライン乃至第４ＬＯＧ信号ラインＬＯＧ１〜ＬＯＧ４を通じて供給される共通電圧ＶＣＯＭの電圧値およびリップル形状をタイミング制御部９０に伝送するようになる。
【００４７】
タイミング制御部９０は、検査ライン９９から供給されたＬＯＧ型信号ライン群７６の共通電圧ＶＣＯＭの値を利用して平均値を計算する。以後、タイミング制御部９０は、このように計算された平均共通電圧ＶＣＯＭ値を利用して位相が反転された平均共通電圧−ＶＣＯＭをＬＯＧ型信号ライン群７６に供給するようになる。
【００４８】
これを詳細に説明すると、第１ＬＯＧ信号ラインＬＯＧ１に供給される第１共通電圧ＶＣＯＭ１は、第１ＬＯＧ信号ラインＬＯＧ１が有するライン抵抗ａにより減衰されると共にリップルにより直線に歪みが生じるようになる。また、第２ＬＯＧ信号ラインＬＯＧ２に供給される第２共通電圧ＶＣＯＭ２は、第１および第２ＬＯＧ信号ラインＬＯＧ１およびＬＯＧ２が有するライン抵抗ａ＋ｂにより変形された第２共通電圧ＶＣＯＭ２を有するようになる。
【００４９】
このような原理で、第３および第４共通電圧ＶＣＯＭ３、ＶＣＯＭ４が形成される。このようなそれぞれの共通電圧ＶＣＯＭ１〜ＶＣＯＭ４を比較すると、第４共通電圧ＶＣＯＭ４は、第１共通電圧ＶＣＯＭ１より相対的に甚だしい歪みを見せるようになる。従って、それぞれの共通電圧ＶＣＯＭ１〜ＶＣＯＭ４を全て検査してその平均値を求めた後、各ＬＯＧ型信号ライン群７６に供給するようになると、第１共通電圧乃至第４共通電圧ＶＣＯＭ１〜ＶＣＯＭ４は同一の共通電圧ＶＣＯＭを有するようになる。
【００５０】
このように各ゲートドライブＩＣ６６Ａ〜６６Ｄの入力端に印加される共通電圧ＶＣＯＭが同一であるため、ＬＯＧ型信号ライン群７６の長さによる抵抗差を補償することにより各ゲートドライブＩＣ６６Ａ〜６６Ｄの入力端に掛かる抵抗に関わらず同一の電圧を印加されるようになる。これによって、各ゲートドライブＩＣ６６Ａ〜６６Ｄを経由して同一の共通電圧ＶＣＯＭがゲートラインに供給されることにより、図２に図示された水平ラインブロックＡ〜Ｄ間の輝度差は生じないようになる。
【００５１】
このように、本発明によるＬＯＧ型液晶表示装置の検査ライン９９は、ゲートドライブＩＣ６６Ａ〜６６ＤのみならずデータドライブＩＣ６０にも適用することができ、ＬＯＧ型信号ライン群７６が有する各信号をそれぞれ検査して補償することにより輝度偏差を減らすことができる。
【００５２】
また、ＬＯＧ型液晶表示装置の検査ライン９９およびタイミング制御部９０は、ドライブＩＣを同一の共通電圧ＶＣＯＭで制御することにより、画像の変化が多い動画像において実時間でそれぞれの画像に対応して新たな共通電圧を生成することができる。従って、本発明によるＬＯＧ型液晶表示装置は、各画像に対応する共通電圧を利用することにより、動画像で発生するクロストーク現象と輝度不均一およびグリニッシュ現象を除去し得るようになる。
【００５３】
本発明によるＬＯＧ型液晶表示装置は、ドライブＩＣを同一の共通電圧で制御することにより、停止画像のみならず画像の変化が多い動画像においても実時間でそれぞれの画像に対応して新たな共通電圧を生成することができる。これによって、本発明によるＬＯＧ型液晶表示装置は、各画像に対応する共通電圧を利用することにより動画像で発生する輝度不均一とグリニッシュ現象およびライン抵抗により生じるクロストーク現象を除去し得るようになる。
【００５４】
以上で説明した内容により当業者であれば本発明の技術思想を逸脱しない範囲で多様な変更および修正が可能であるのが分るであろう。従って、本発明の技術的範囲は明細書の詳細な説明に記載された内容に限定されるのではなく特許請求の範囲により定められるべきであろう。
【図面の簡単な説明】
【００５５】
【図１Ａ】従来の液晶表示装置の構成を概略的に図示した平面図である。
【図１Ｂ】従来の液晶表示装置の抵抗成分を概略的に図示した断面図である。
【図２】図１に図示された信号ライン群のライン抵抗による水平ラインブロック間の分離現象を説明するための図面である。
【図３】本発明の実施の形態による液晶表示装置の構成を概略的に図示した平面図である。
【図４】本発明の実施の形態による液晶パネルを示した図面である。
【符号の説明】
【００５６】
１，５１：液晶パネル                          ２，５２：下部基板
４，５４：上部基板                            ８，５８：データＴＣＰ
１０，６０：データドライブＩＣ              １２，６２：データＰＣＢ
１４Ａ〜１４Ｄ，６４Ａ〜６４Ｄ：ゲートＴＣＰ
１６Ａ〜１６Ｄ，６６Ａ〜６６Ｄ：ゲートドライブＩＣ
【図１Ａ】
2006018278.tif 000003
【図１Ｂ】
2006018278.tif 000004
【図２】
2006018278.tif 000005
【図３】
2006018278.tif 000006
【図４】
2006018278.tif 000007